(57)【特許請求の範囲】
【請求項１】
ニトロセルロースに対して良溶媒であり、かつ水溶性である有機溶媒にニトロセルロースを溶解し、該混合溶液に触媒を溶解後、炭素数１〜６のアルキルカルボン酸無水物からなるアシル化剤を滴下してニトロセルロース中の水酸基をアシル化する際、４−ジメチルアミノピリジンを触媒として原料ニトロセルロースに対して０．００１〜１０重量％用いることを特徴とする火薬用のアシル化ニトロセルロースの製造方法。
【発明の詳細な説明】
【０００１】
【産業上の利用分野】
本発明は、セルロ−スアセテ−トナイトレ−トに代表されるアシル化ニトロセルロ−スの製造方法に関するものである。
【０００２】
【従来の技術】
アシル化ニトロセルロ−スは、ニトロセルロ−スを有機溶媒中で無水酢酸等の酸無水物と反応させることにより得られる。この反応には、従来、硫酸あるいはピリジン等の触媒が用いられてきた（特開昭５６−８２８４９号公報参照）。
【０００３】
【発明が解決しようとする課題】
硫酸触媒を用いてアシル化する場合、硫酸の一部がセルロ−スに結合して硫酸エステル基を形成する。この硫酸エステル基は生成物の安定性を損なうため、精製工程で無置換の水酸基に変換する工程が一般に必要となる。
【０００４】
また、硫酸触媒は硝酸エステル基の分解反応を伴うため、アシル化反応のみを選択的に行うことができない。従ってこの製造方法では、原料ニトロセルロ−ス中の水酸基を完全にアシル基に置換する事が出来ないという問題がある。
【０００５】
更に、硫酸触媒を用いた場合、求める硝化度のアシル化ニトロセルロ−スを得るには、触媒量，反応時間および反応温度を厳密に制御しなければならないという問題がある。
【０００６】
またピリジン触媒を用いた場合はアシル化の反応速度が遅いために、ニトロセルロ−ス中のほとんど全ての水酸基を短時間にアシル化することは困難であるという問題がある。
本発明の目的は、硫酸エステル基のない高品質のアシル化ニトロセルロースを簡便に早く製造する方法を提供することである。
【０００７】
【課題を解決するための手段】
本発明は、ニトロセルロースに対して良溶媒であり、かつ水溶性である有機溶媒にニトロセルロースを溶解し、該混合溶液に触媒を溶解後、炭素数１〜６のアルキルカルボン酸無水物からなるアシル化剤を滴下してニトロセルロース中の水酸基をアシル化する際、４−ジメチルアミノピリジンを触媒として原料ニトロセルロースに対して０．００１〜１０重量％用いることを特徴とする火薬用のアシル化ニトロセルロースの製造方法である。
【０００８】
本発明に用いる有機溶媒は、ニトロセルロ−スに対して良溶媒であり、かつ水溶性であれば全てのものが使用可能である。それらの中ではアセトン、メチルエチルケトン、ジメチルホルムアミド、テトラヒドロフラン、ピリジン等が好ましく用いられる。発熱反応であるアシル化反応が暴走した場合に、蒸発潜熱により反応溶液の温度上昇を防ぐことができるので、アセトンが最も好ましいものである。
その使用量は、ニトロセルロ−スに対して重量基準で１０〜８０倍量、好ましくは２５〜５０倍量、更に好ましくは３５〜４５倍量が用いられる。溶媒の量をニトロセルロ−スに対して１０倍量より少なくした場合、反応溶液が高粘度となって充分な攪拌ができないため、反応速度が遅くなる。逆に溶媒の量をニトロセルロ−スに対して８０倍量より多く用いても、それに見合う効果の増加はない。
【０００９】
本発明に用いられるアシル化剤は、無水酢酸、プロピオン酸無水物、ヘキサン酸無水物等の炭素数１〜６のアルキルカルボン酸無水物が用いられる。
アシル化剤の使用量は、ニトロセルロ−ス中の水酸基に対して１〜２０当モル量であり、好ましくは２〜１０当モル量が用いられる。アシル化剤が１当モル量より少ない場合、全ての水酸基をアシル化することができない。逆にアシル化剤を１０当モル量より多く用いても、それに見合う効果の増加はない。
【００１０】
本発明の触媒には、４−ジメチルアミノピリジンが用いられる。
その使用量は、原料ニトロセルロ−スに対して０.００１〜１０重量％、好ましくは１〜１０重量％、更に好ましくは５〜１０重量％である。使用量が０．００１重量％より少ない場合、充分なアシル化の反応速度が得られない。また使用量が１０重量％より多い場合、それに見合う効果の増加はない。
【００１１】
本発明には、従来公知の全てのニトロセルロースが用いられるが、その中でも硝化度が０．５〜２．５のニトロセルロ−スが好ましく用いられる。
ニトロセルロ−スの硝化度が０．５より少ない場合はアシル化ニトロセルロ−スの燃焼性が不十分であり、また硝化度が２．５より多い場合はアシル化ニトロセルロ−スの衝撃あるいは摩擦に対する安全性が不十分になる傾向にある。
【００１２】
この製造方法において反応温度および反応時間は、４−ジメチルアミノピリジンおよびアシル化剤の使用量によって適宜選択されるが、温度は通常０〜５０℃、好ましくは１０〜３０℃であり、反応時間は通常０．１〜１０時間、好ましくは０．５〜５時間である。
例えば、４−ジメチルアミノピリジンをニトロセルロ−スに対して５重量％、アシル化剤をニトロセルロ−ス中の水酸基に対して１０当モル量用いて室温で反応させた場合、アシル化剤の滴下直後にはほとんどの水酸基はアシル化され、１時間以内に反応が完結する。
【００１３】
本発明の製造方法における操作手順を以下に説明する。
まず原料として用いるニトロセルロ−スを有機溶媒に溶解する。その際、アシル化剤は水分と反応して分解するため、有機溶剤又は有機溶媒とニトロセルロ−スの混合溶液から脱水しておくことは望ましいことである。
次にそこへ触媒として用いる４−ジメチルアミノピリジンを加えて溶解後、アシル化剤として用いる酸無水物を攪拌しながら少しづつ加える。酸無水物の急激な添加は、反応溶液の温度上昇を招くため好ましくない。
滴下終了後も更に攪拌を続けて十分に反応させた後、反応溶液を水中に投じてアシル化ニトロセルロースを析出させる。それを通常の水ないし温水で洗浄して不純物を除去することにより高品質のアシル化ニトロセルロースを得ることができる。
【００１４】
【発明の効果】
本発明の製造方法では硝酸エステル基の分解あるいはエステル交換反応がほとんどおこらないため、得られるアシル化ニトロセルロ−スの硝化度は原料となるニトロセルロ−スの硝化度とほとんど変わらない。従って、火薬の力に対して重要な影響をおよぼす硝化度は、原料となるニトロセルロ−スの硝化度を選定するのみでよく、硫酸触媒を用いた製造方法のように厳密に反応を制御する必要がない。
【００１５】
また、硝酸エステル基の安定性に悪影響を及ぼす硫酸を用いないことから、生成物中に硫酸が残存する事が無く、また従来法のように硫酸エステル基を水酸基に置換する工程をを必要としない。
【００１６】
更に、ピリジン触媒を用いた製造方法に比べて迅速に反応が進行するため、短時間でアシル化ニトロセルロ−スを得ることができる。
【００１７】
【実施例】
次に本発明を実施例及び比較例により更に詳細に説明する。
実施例１
温度計、滴下ロート及び攪拌機を備えた容量５，０００ｍｌのパイレックス製セパラブルフラスコに、乾燥したニトロセルロ−ス７５ｇ（グルコースユニット内における硝酸エステル基及び水酸基の平均存在個数はそれぞれ２．３及び０．７）を無水アセトン３，０００ｍｌに完全に溶解した。さらに、触媒となる４−ジメチルアミノピリジン５ｇを添加して溶解した。カルシウム管を備えた滴下ロ−トから無水酢酸１５０ｍｌを反応温度が２０℃になるように調整しながら添加した。滴下終了後、２０℃で１時間更に攪拌して反応させた。その後、反応溶液を水中に投じ、セルロ−スアセテ−トナイトレ−トを析出させた。これを濾別し、温水でよく洗浄した。この後、６０℃で真空乾燥した。
得られたセルロ−スアセテ−トナイトレ−トのグルコースユニット内における硝酸エステル基、アセチル基及び水酸基の平均存在個数（これらは元素分析法により測定された結果に基づいて所定の計算式より計算した。以後も同様である。）はそれぞれ２．３、０．７および０であった。
【００１８】
実施例２
アシル化剤として無水酢酸のかわりにプロピオン酸無水物を使用すること以外は実施例１に準じて行い、セルロ−スプロピオネ−トナイトレ−トを得た。
分析の結果、得られたセルロ−スプロピオネ−トナイトレ−トのグルコースユニット内における硝酸エステル基、プロピオネ−ト基及び水酸基の平均存在個数は、それぞれ２．３、０．７および０であった。
【００１９】
実施例３
アシル化剤として無水酢酸のかわりにヘキサン酸無水物を使用すること以外は実施例１に準じて行い、セルロ−スヘキサノエートナイトレートを得た。
分析の結果、得られたセルロ−スヘキサノエートナイトレートのグルコースユニット内における硝酸エステル基、ヘキサノエート基及び水酸基の平均存在個数はそれぞれ２．３、０．７及び０であった。
【００２０】
実施例４
触媒としての４−ジメチルアミノピリジンを５ｇのかわりに０．５ｇ使用すること以外は実施例１に準じて行い、セルロースアセテートナイトレートを得た。
分析の結果、得られたセルロースアセテートナイトレートのグルコースユニット内における硝酸エステル基、アセチル基及び水酸基の平均存在個数はそれぞれ２．３、０．７及び０であった。
【００２１】
実施例５
反応温度として２０℃のかわりに０℃ですること以外は実施例１に準じて行なうことによりセルロースアセテートナイトレートを得た。
分析の結果、得られたセルロースアセテートナイトレートのグルコースユニット内における硝酸エステル基、アセチル基及び水酸基の平均存在個数はそれぞれ２．３、０．７及び０であった。
【００２２】
比較例１
触媒として４−ジメチルアミノピリジン５ｇのかわりにピリジン１８０ｍｌを使用する以外は実施例１に準じて行い、セルロ−スアセテ−トナイトレ−トを得た。
滴下終了後のセルロ−スアセテ−トナイトレ−トのグルコースユニット内における硝酸エステル基、アセチル基及び水酸基の平均存在個数は、１時間攪拌後においてそれぞれ２．３、０．３及び０．４であり、また５時間攪拌後においてはそれぞれ２．３、０．５及び０．２であった。
【００２３】
比較例２
実施例１と同じセパラブルフラスコに、無水酢酸１５０ｍｌ及びニトロセルロース７５ｇ（グルコースユニット内における硝酸エステル基及び水酸基の平均存在個数はそれぞれ２．３及び０．７）を加えて２０℃に加温する。これに無水ベンゼン３，０００ｍｌを加えてニトロセルロースを完全に溶解させる。この後、触媒となる濃硫酸４ｇを添加して反応を開始させる。１時間反応した後、反応溶液を氷冷し、エタノール中に投じてセルロースアセテートナイトレートを析出させる。これを濾別し、温水でよく洗浄する。この後、６０℃で真空乾燥する。
分析の結果、得られたセルロースアセテートナイトレートのグルコースユニット内における硝酸エステル基、アセチル基及び水酸基の平均存在個数はそれぞれ２．２、０．２及び０．６であった。
【００２４】
比較例３
触媒として濃硫酸４ｇのかわりに濃硫酸２０ｇを使用すること以外は比較例２に準じて行い、セルロースアセテートナイトレートを得た。
分析の結果、得られたセルロースアセテートナイトレートのグルコースユニット内における硝酸エステル基、アセチル基及び水酸基の平均存在個数はそれぞれ１．８、０．９及び０．３であった。
【００２５】
以上のことから、本発明の製造方法によれば、ニトロセルロ−ス中の水酸基のほとんど全てがアシル化されたアシル化ニトロセルロ−スを、穏やかな条件下、迅速に製造することができることは明らかである。
またこのようにして製造されたアシル化ニトロセルロ−スは、発射薬および推進薬用無煙火薬のバインダとして用いた場合、従来の製造方法により製造されるものに比べ、良好な燃焼性と、衝撃あるいは摩擦に対する安全性を両立することができるので有用である。